(57)【特許請求の範囲】
【請求項１】
スピニングリールのオシレーティング機構に用いられるスライダをスプール軸に取り付けるためのスピニングリールのスライダ取付構造であって、
大径の第１頭部と前記第１頭部から延びる小径の第１ネジ部とを有し、前記スライダを前記スプール軸に締結するための第１ネジと、
大径の第２頭部と前記第２頭部から延びる小径の第２ネジ部とを有し、前記第２頭部が前記第１頭部と重畳するように前記第１ネジと隣接して配置され、前記スライダを前記スプール軸に締結するための第２ネジと、
を備えたスピニングリールのスライダ取付構造。
【請求項２】
前記第１ネジはさら小ネジである、請求項１に記載のスピニングリールのスライダ取付構造。
【請求項３】
前記第２ネジはトラス小ネジである、請求項１又は２に記載のスピニングリールのスライダ取付構造。
【請求項４】
前記第１ネジ及び第２ネジは前記スライダの対向する外面からそれぞれ挿入されている、請求項１から３のいずれかに記載のスピニングリールのスライダ取付構造。
【請求項５】
前記スライダ外面には前記第１頭部を収納する収納穴が形成され、前記第１ネジの締結時に前記第１頭部が前記スライダ外面より内側に位置する、請求項１から３のいずれかに記載のスピニングリールのスライダ取付構造。
【請求項６】
前記第１ネジ及び第２ネジは前記スプール軸の軸方向に並べて配置されている、請求項１から５のいずれかに記載のスピニングリールのスライダ取付構造。
【発明の詳細な説明】
【０００１】
【発明の属する技術分野】
本発明は、スライダ取付構造、特に、スピニングリールのオシレーティング機構に用いられるスライダをスプール軸に取り付けるためのスピニングリールのスライダ取付構造に関する。
【０００２】
【従来の技術】
一般にスピニングリールは、リール本体と、リール本体に回転自在に支持されたロータと、外周に釣り糸が巻かれるスプールとを有している。ロータは、１対のアーム部を有しており、両アーム部の間には糸巻取り姿勢と糸開放姿勢との間で開閉自在なベールが設けられている。また、一方のアーム部先端には、糸巻取り時に巻き取られた釣り糸をスプール外周に案内するためのラインローラが設けられている。
【０００３】
このようなスピニングリールでは、ベール及びラインローラによって案内された釣り糸を、スプール外周に前後方向に均一に巻くためにオシレーティング機構が設けられている。オシレーティング機構は、スプールが固定されたスプール軸と平行に配置された螺軸と、螺軸を回転するための歯車機構と、螺軸に係合するスライダとを有している。螺軸の外周には螺旋状の溝が形成されており、スライダの一部がこの溝に係合している。スライダはスプール軸の後端にネジにより締結されており、スライダが螺軸に沿って往復動することにより、スプール軸及びスプールも同様に往復動する。特に大型のスピニングリールではスプール軸に作用する力が大きく、１本のネジではスプール軸にドラグによる捩じれが加わったときにネジが緩みやすい。このため、スライダとスプール軸とをスプール軸の軸方向に並べて配置された２本のネジにより締結している。この２本のネジには、スライダが前方に移動したときにハンドル軸に設けられたフェースギアの歯先との干渉を避けるために、通常さら小ネジが用いられる。
【０００４】
【発明が解決しようとする課題】
スライダが２本のさら小ネジによりスプール軸に締結されている従来のオシレーティング機構では、さら小ネジの頭部の径が大きいので、２本のさら小ネジを並べるとスライダの軸方向長さが長くなる。このため、リール本体の小型化が困難である。
【０００５】
本発明の課題は、２本のネジでスライダとスプール軸とを締結したときに、スライダのスプール軸方向の長さを可及的に短くすることにある。
【０００６】
【課題を解決するための手段】
発明１に係るスピニングリールのスライダ取付構造は、スピニングリールのオシレーティング機構に用いられるスライダをスプール軸に取り付けるためのスピニングリールのスライダ取付構造であって、第１ネジと、第２ネジとを備えている。第１ネジは、大径の第１頭部と第１頭部から延びる小径の第１ネジ部とを有し、スライダをスプール軸に締結するためのネジである。第２ネジは、大径の第２頭部と第２頭部から延びる小径の第２ネジ部とを有し、第２頭部が第１頭部と重畳するように第１ネジと隣接して配置され、スライダをスプール軸に締結するためのネジである。
【０００７】
このスライダ取付構造では、第１ネジと第２ネジとが互いの頭部が重畳するように隣接して配置されている。このため、第１ネジと第２ネジとの間隔を小さくすることができ、２本のネジでスライダとスプール軸とを締結しても、スライダのスプール軸方向の長さを可及的に短くすることができる。
発明２に係るスピニングリールのスライダ取付構造は、発明１に記載の構造において、第１ネジはさら小ネジである。この場合には、さら小ネジの頭部をスライダ外面と面一またはそれより内側に位置させることができるので、さら小ネジ以外のネジを第２ネジに用いれば１つのネジの頭部を簡単に重畳させることができる。また、さら小ネジの第１ネジの頭部が第２ネジの頭部で押さえられるので、ネジが弛みにくくなる。
【０００８】
発明３に係るスピニングリールのスライダ取付構造は、発明１又は２に記載の構造において、第２ネジはトラス小ネジである。この場合には、第１ネジにさら小ネジを用いるか第１ネジの頭部をスライダ外面より内側に配置すれば、２つのネジの頭部を簡単に重畳させることができる。
発明４に係るスピニングリールのスライダ取付構造は、発明１から３のいずれかに記載の構造において、第１ネジ及び第２ネジはスライダの対向する外面からそれぞれ挿入されている。この場合には、どのような種類のネジを用いても２つのネジの頭部を重畳させることができる。また、２つのネジにさら小ネジを用いれば、スライダ外面からの頭部の突出を押さえ、フェースギア等に干渉しにくくなる。
【０００９】
発明５に係るスピニングリールのスライダ取付構造は、発明１から３のいずれかに記載の構造において、スライダ外面には第１頭部を収納する収納穴が形成され、第１ネジの締結時に第１頭部がスライダ外面より内側に位置する。この場合には、第１頭部が収納穴に収納されるので外面から突出せず、２つのネジの頭部を簡単に重畳させることができる。
【００１０】
発明６に係るスピニングリールのスライダ取付構造は、発明１から５のいずれかに記載の構造において、第１ネジ及び第２ネジはスプール軸の軸方向に並べて配置されている。この場合には、２つのネジが軸方向に並ぶのでスライダをスプール軸に確実に締結できる。
【００１１】
【発明の実施の形態】
〔全体構成及びリール本体の構成〕
図１〜図３に示す本発明の一実施例によるスピニングリールは、ハンドル１を備えたリール本体２と、リール本体２の前部に回転自在に支持されたロータ３と、ロータ３の前部に配置され釣り糸を巻き取るスプール４とを備えている。
【００１２】
リール本体２はボディ２ａを有しており、その上部にはスピニングリールを釣り竿に取りつけるための取付け部２ｂが形成されている。ボディ２ａの内部には、ロータ３を回転させるためのロータ駆動機構５と、スプール４を回転軸芯Ｘに沿って前後方向に移動させてスプール４に釣り糸を均一に巻き取るためのオシレーティング機構６とが設けられている。
【００１３】
ロータ駆動機構５は、ハンドル１が固定された軸１０とともに回転するフェースギア１１と、このフェースギア１１に噛み合うピニオンギア１２とを有している。ピニオンギア１２は筒状に形成されており、その前部１２ａはロータ３の中心部を貫通してスプール４側に延びている。そして、その先端にはねじ部が形成されている。ピニオンギア１２は、その軸方向の中間部と後端部とが、それぞれ軸受１３，１４を介してリール本体２に回転自在に支持されている。
【００１４】
オシレーティング機構６は、スプール４の中心部に固定されたスプール軸２０を前後方向に移動させてスプール４を同方向に移動させるための機構である。オシレーティング機構６は、スプール軸２０の下方に配置された螺軸２１と、螺軸２１に沿って前後方向に移動するスライダ２２と、螺軸２１の先端に固定された中間ギア２３とを有している。螺軸２１は、スプール軸２０と平行に配置されており、ボディ２ａに回転自在に支持されている。また、螺軸２１の外周部には螺旋状の溝２１ａが形成されている。
【００１５】
スライダ２２はスプール軸２０の後端に固定されている。また、中間ギア２３はピニオンギア１２に噛み合っている。
ここで、ピニオンギア１２及び中間ギア２３は、ピニオンギア１２の螺軸２１に対する回転数比が１．５以上、好ましくは１．８〜２．５になるようにそれぞれの歯数が設定されている。なお、前記回転数比が１．５未満になると釣り糸巻き上げ時の効率の向上が望めない。また、前記回転数比が１．８以上の場合は効率の向上が著しく、２．５を越えると、中間ギア２３の径が大きくなりすぎ、リール本体２の小型化が困難となる。
【００１６】
〔スライダの構造〕
スライダ２２は、図４〜図７に示すように、スライダ本体２５と、スライダ本体２５内に収納された係合部材２６とを有している。
スライダ本体２５は、スプール軸の軸方向に並べて配置された２本のネジ２７ａ，２７ｂによりスプール軸２０に対して軸方向に移動不能に締結されるとともに、スプール軸２０と平行に配置された２本のガイド軸２９ａ，２９ｂに摺動自在に装着されている。スプール軸２０のスライダ本体２５と嵌合する部分には切欠き２０ａが形成されており、外周の一部が平坦になっている。そして、スライダ本体２５の対応する孔も完全な円形ではなく、切欠き２０ａに対応する平坦部を有している。このような嵌合により、スライダ本体２５は、スプール軸２０に対して相対回転が禁止されている。この切欠き２０ａに軸方向に間隔を隔ててスライダ締結用のネジ孔２０ｂ，２０ｃが形成されている。
【００１７】
ネジ孔２０ｂ，２０ｃに対向するようにスライダ本体２５には、２つの貫通孔２５ｂ，２５ｃがスプール軸２０と交差する方向に沿って形成されている。この２つの貫通孔２５ｂ，２５ｃに２本のネジ２７ａ，２７ｂがそれぞれ挿入されネジ孔２０ｂ，２０ｃに螺合している。ネジ２７ａは、大径さら状の頭部２８ａと頭部２８ａから延びる小径のネジ部２８ｂとを有するさら小ネジであり、ネジ２７ｂは、大径の頭部２８ｃと頭部２８ｃから延びる小径のネジ部２８ｄとを有するトラス小ネジである。スライダ本体２５の図７下側の外面において貫通孔２５ｂの開口部には、さら状の頭部収納穴２５ｄが形成されている。この頭部収納穴２５ｄにネジ２７ａの頭部２８ａが収納され、締結時に頭部２８ａがスライダ本体２５の外面とほぼ面一又は外面より内側に配置される。
【００１８】
２本のネジ２７ａ，２７ｂは、その頭部２８ａ，２８ｃが重畳し、かつ頭部収納穴２５ｄに収納された頭部２８ａを頭部２８ｃが押さえるように配置されており、従来より接近して配置されている。このため、２本のネジ２７ａ，２７ｂでスライダ２２とスプール軸２０とを締結しても、スライダ２２のスプール軸方向の長さを可及的に短くすることができ、リール本体２のスプール軸方向の長さを抑えてリール本体２を小さくすることが可能である。また、ネジ２７ａの頭部２８ａは、ネジ２７ｂの頭部２８ｃにより押さえられるので、２本のネジ２７ａ，２７ｂが弛みにくくなる。
【００１９】
また、スライダ本体２５は、２本のガイド軸２９ａ，２９ｂによって案内されるので、摺動時の傾きが防止される。このため、スライダ本体２５を、従来のスライダ本体のように螺軸全周を覆うような形状とする必要がない。このため本実施例のスライダ本体２５は、螺軸２１の一側面側にのみ対向するような形状となっており、他側面側への張り出しが少なくなっている。したがってリール本体のスプール軸２０と交差する方向の長さを抑えてリール本体２をより小さくすることが可能である。
【００２０】
また、スライダ本体２５には螺軸２１と直交するように横方向の孔２５ａが形成されており、この孔２５ａに係合部材２６が摺動自在に挿入されている。係合部材２６の先端には、螺軸２１の溝２１ａに噛み合う係合部２６ａが形成されている。スライダ本体２５の孔２５ａの一端には、蓋部材２４が固定されている。
〔ロータの構成〕
ロータ３は、図１に示すように、円筒部３０と、円筒部３０の側方に互いに対向して設けられた第１アーム部３１及び第２アーム部３２とを有している。円筒部３０と両アーム部３１，３２とは一体成形されている。
【００２１】
円筒部３０の前部には前壁３３が形成されており、前壁３３の中央部にはボス３３ａが形成されている。ボス３３ａの中心部には貫通孔が形成されており、この貫通孔をピニオンギア１２の前部１２ａ及びスプール軸２０が貫通している。前壁３３の前方側にはナット３４が配置されており、このナット３４がピニオンギア１２の先端ねじ部に螺合している。ナット３４の内周部には、スプール軸２０を回転自在に支持する軸受３５が配置されている。
【００２２】
第１アーム部３１の先端の内周側には、第１ベール支持部材４０が揺動自在に取り付けられている。第１ベール支持部材４０の先端には、釣り糸をスプール４に案内するためのラインローラ４１が装着されている。また、第２アーム部３２の先端の内周側には、第２ベール支持部材４２が揺動自在に装着されている。この第２ベール支持部材４２は、たとえば他の部分より比重の大きい材質で構成し、第１ベール支持部材４０及びラインローラ４１に起因する回転時のアンバランスを解消するためのバランサとして機能させることも可能である。第１ベール支持部材４０先端のラインローラ４１と第２ベール支持部材４２との間には、ベール４３が設けられている。このように、第１ベール支持部材４０を第１アーム部３１の内周側に装着することにより、第１ベール支持部材４０の回転半径が小さくなり、釣り竿を持つ手に当たりにくくなる。したがって、スプールと釣り竿とを近づけることができ、全体として小型化が可能となる。さらに、同様の理由により、回転半径が小さくなり、回転時のアンバランスを抑えやすくなる。
【００２３】
また、各アーム部３１，３２の外周側には、カバー４４，４５が取り付けられている。このカバー４４，４５の表面は、前後方向にかつ円周方向に滑らかに連続する形状となっており、このため、釣り糸の引っ掛かりを防止できる。
ここで、両ベール支持部材４０，４２は、一本の揺動軸Ｍを中心に揺動自在である。そして、揺動軸Ｍと第１アーム部３１の第１ベール支持部材取り付け面とが交差する点を揺動中心Ｃ１とし、揺動軸Ｍと第２アーム部３２の第２ベール支持部材取り付け面とが交差する点を揺動中心Ｃ２とした場合、揺動中心Ｃ２は揺動中心Ｃ１に比較して前方側に位置している。すなわち、揺動軸Ｍは回転軸芯Ｘに対して傾いている。また、各ベール支持部材４０，４２は、それらの揺動面が揺動軸Ｍに対して直交するように配置されている。
【００２４】
〔スプールの構成〕
スプール４は、ロータ３の第１アーム部３１と第２アーム部３２との間に配置されており、スプール軸２０の先端にドラグ機構７０を介して装着されている。スプール４は、外周の釣り糸が巻かれる糸巻胴部４ａと、糸巻胴部４ａの後部に一体で形成されたスカート部４ｂと、糸巻胴部４ａの前端に固定されたフランジ板４ｃとを有している。フランジ板４ｃは、ステンレス製の板材で形成されており、ねじによって糸巻胴部４ａに装着されている。このとき、フランジ板４ｃは若干湾曲しており、その湾曲によるばね性を利用して、糸巻胴部４ａの前端とフランジ板４ｃとの間に隙間が形成されないように取り付けられている。このため、釣り糸がこれらの間に侵入することはない。
【００２５】
ドラグ機構７０は、スプール４の内部前端面に押し付けられる押し付け部材７１と、ドラグ力を調整するための調整つまみ７２と、押し付け部材７１と調整つまみ７２との間に配置された押圧ばね７３，７４と、押し付け部材７１とスプール４との間に配置された複数のクラッチ板７５とを有している。このような構成では、調整つまみ７２の締め付け量を調整することにより、押し付け部材７１のスプール４に対する押圧力を調整でき、ドラグ力を調整可能である。
【００２６】
〔リールの操作及び動作〕
キャスティング時には、ベール４３を糸開放姿勢側に倒す。これにより、第１及び第２ベール支持部材４０，４２は揺動軸Ｍを中心として同方向に回転する。このとき、第１ベール支持部材４０は第１アーム部３１の内周側に配置され、かつ揺動軸Ｍが回転軸芯Ｘに対して図１に示すように傾いているので、第１ベール支持部材４０及びその先端のラインローラ４１は糸巻取り姿勢時の位置よりもさらに内周側に移動する。このため、キャスティング時に繰り出された釣り糸が第１ベール支持部材４０やラインローラ４１に絡みにくくなる。また、揺動軸Ｍは回転軸芯Ｘに対して傾いているが、両ベール支持部材４０，４２は１本の揺動軸Ｍを中心に回転し、かつそれぞれの回転面は揺動軸Ｍに対して垂直である。このため、ベール４３を操作する際には、こじることなくスムーズに操作することができる。
【００２７】
釣り糸巻取り時には、ベール４３を糸巻取り姿勢側に倒す。この状態でハンドル１を回転させると、この回転力はハンドル軸及びフェースギア１１を介してピニオンギア１２に伝達される。このピニオンギア１２に伝達された回転力は、ピニオンギア前部１２ａを介してロータ３に伝達される。
一方、ピニオンギア１２に噛み合う中間ギア２３によって螺軸２１が回転し、この螺軸２１の溝２１ａに噛み合うスライダ２２がガイド軸２９ａ，２９ｂに案内されて前後方向に移動する。このため、スプール軸２０及びスプール４が回転軸芯Ｘに沿って前後方向に往復動し、ベール４３及びラインローラ４１によってスプール４に案内された釣り糸は、スプール４の外周に前後方向に均一に巻き取られる。ここで、ピニオンギア１２の螺軸２１に対する回転数比を１．５以上にしているので、スプール４の移動速度を従来装置に比較して低くでき、釣り糸巻き上げ時の効率を向上できる。また、釣り糸を多量に巻くことができる。
【００２８】
また、スライダ２２は２本のガイド軸２９ａ，２９ｂに案内されて往復動するので、回転したりあるいは傾いたりすることなくスムーズに往復動する。このため、スライダ本体２５は螺軸２１の全周を覆う必要がなく、係合部材２６と逆側のスペースを小さくできる。このため、リール本体２の後方部分については、横方向に突出を少なくできる。しかも、スライダ２２を２本のネジ２７ａ，２７ｂで締結しても、２本のネジ２７ａ，２７ｂの頭部２８ａ，２８ｃが重畳しているので、２本のネジ２７ａ，２７ｂの間隔が従来より小さくなり、スライダ本体２５のスプール軸方向の長さが短くなる。このため、リール本体２の後方部分については、軸方向の突出も少なくでき、大型のスピニングリールであってもリール本体２を小さくできる。
【００２９】
〔ロータ回転時のアンバランスについて〕
ロータ３の回転時には、ベール４３等の部材に起因して回転時のアンバランスが生じやすい。このため本実施例では、ベール支持部材４０，４２、ラインローラ４１及びベール４３によるアンバランスを解消するために、両アーム部３１，３２の後端部を糸巻取り姿勢のベール側に偏位させて配置し、さらに各ベール支持部材４０，４２を、その揺動軸が回転軸芯Ｘに対して糸開放姿勢のベール側に偏位するように配置している。さらに、ラインローラ４１に起因するアンバランスは、第２ベール支持部材４２を第１ベール支持部材４０よりも前方側に配置することにより抑えられる。また、この第２ベール支持部材を他の部材に比較して比重の高い重量物で構成することにより、バランサとして機能させることが可能である。
【００３０】
〔他の実施形態〕
（ａ）  前記実施形態では、さら小ネジとトラス小ネジとでスライダ２２をスプール軸２０に締結したが、ネジの形態はこれらに限定されるものではない。図８に示すように、スライダ本体２５の外面に円柱状の頭部収納穴２５ｄを形成し、そこに、たとえば六角穴付ボルトからなるネジ２７ａの頭部２８ａを収納するようにして２つのネジ２７ａ，２７ｂの頭部２８ａ，２８ｃを重畳させるようにしてもよい。また、頭部が重畳するように段違いに形成された２つの頭部収納穴を設け、そこに２本のネジを装着してもよい。
【００３１】
（ｂ）  前記実施形態ではスライダ本体２５の同じ外面から２本のネジ２７ａ，２７ｂを装着したが、図９に示すように、対向する外面から２本のネジ２７ａ，２７ｂを装着してもよい。この場合には、頭部収納穴を設けなくても２つのネジ２７ａ，２７ｂの頭部２８ａ，２８ｃを重畳して配置できる。なお、この実施形態では、ネジ２７ａには頭部２８ａが偏平なたとえば平小ネジを用い、フェースギア１１の歯先との干渉を避けるようにしている。ここで、頭部収納穴を形成してこの頭部２８ａを外面と面一になるように収納すれば干渉をより確実に避けることができる。
【００３２】
【発明の効果】
以上のように、本発明によれば、第１ネジと第２ネジとが互いの頭部が重畳するように隣接して配置されているので、第１ネジと第２ネジとの間隔を小さくすることができ、２本のネジでスライダとスプール軸とを締結しても、スライダのスプール軸方向の長さを可及的に短くすることができる。
【図面の簡単な説明】
【図１】本発明の一実施形態によるスピニングリールの断面正面図。
【図２】前記スピニングリールの釣り竿取り付け部を示す図。
【図３】前記スピニングリールの断面平面図。
【図４】前記スピニングリールの断面背面図。
【図５】スライダの一部断面背面図。
【図６】スライダの右側面図。
【図７】スライダの一部断面平面図。
【図８】他の実施形態の図７に相当する図。
【図９】さらに他の実施形態の図７に相当する図。
【符号の発明】
６  オシレーティング機構
２０  スプール軸
２２  スライダ
２５  スライダ本体
２５ｄ  頭部収納穴
２７ａ，２７ｂ  ネジ
２８ａ，２８ｃ  頭部
２８ｂ，２８ｄ  ネジ部
【図１】
0003711308.tif 000002
【図２】
0003711308.tif 000003
【図３】
0003711308.tif 000004
【図４】
0003711308.tif 000005
【図５】
0003711308.tif 000006
【図６】
0003711308.tif 000007
【図７】
0003711308.tif 000008
【図８】
0003711308.tif 000009
【図９】
0003711308.tif 000010